(57)【特許請求の範囲】
【請求項１】
電力系統から複数のアナログ交流電気量を取り込み、ディジタルデータに変換し、変換
されたディジタルデータの信号を多重化してシリアル信号に変換後、周期的にシリアルデ
ータとして送出するマージングユニットと、該マージングユニットから送信される前記シ
リアルデータ信号を受信してメモリに格納するメモリ転送手段と、該メモリに記憶された
データを読出し、予め定めたディジタルフィルタ演算処理手順に従い周期的に演算処理す
るディジタルフィルタ処理手段と、該ディジタルフィルタ処理手段の演算結果を、保護演
算周期に一致させるようにデータをディシメーションするディシメーション手段と、該デ
ィシメーション手段によりディシメーションされたデータに対し、予め定めた演算処理手
順に従い、周期的に保護演算を実行する保護演算手段とを備え、
前記保護演算手段が、前記マージングユニットから送信される前記シリアルデータ信号
を受信して該信号の受信検定を実行する検定手段を具備し、該検定手段により受信検定を
実行された後のデータを前記メモリ転写手段によりメモリに格納するものであって、前記
検定手段の結果に基づき、検定不良のデータを廃棄し、検定不良のデータの代わりに直前
のサンプルのデータをメモリに格納するようにしてデータ補間し、前記ディジタルフィル
タ処理手段が、補間したデータに対して演算処理する分散形ディジタル保護リレー。
【請求項２】
前記検定手段による受信検定されたデータ検定不良回数が、演算誤差が保護リレーに影
響を及ぼす範囲となる不良回数を越えた時、又は予め定めた設定回数を越えた場合に、装
置ロックして外部警報を発報する請求項１に記載の分散形ディジタル保護リレー。
【請求項３】
電力系統から複数のアナログ交流電気量を取り込み、ディジタルデータに変換し、変換
されたディジタルデータの信号を多重化してシリアル信号に変換後、周期的にシリアルデ
ータとして送出するマージングユニットと、該マージングユニットから送信される前記シ
リアルデータ信号を受信して該信号の受信検定を実行する検定手段と、該検定手段により
受信検定を実行された後のデータをメモリに格納するメモリ転写手段と、該メモリに記憶
されたデータを読出し、予め定めたディジタルフィルタ演算処理手順に従い周期的に演算
処理する第１のディジタルフィルタ処理手段と、該第１のディジタルフィルタに直列に接
続され、第１のディジタルフィルタの出力データに対して、予め定めたディジタルフィル
タ演算処理手順に従い周期的に演算処理する第２のディジタルフィルタ処理手段と、前記
第１のディジタルフィルタ処理手段の演算結果を、前記第２のディジタルフィルタ演算周
期に一致させてデータをディシメーションする第１のディシメーション手段と、保護演算
手段の演算周期に一致させるようにデータをディシメーションする第２のディシメーショ
ン手段と、該第２のディシメーション後のデータに対し、予め定めた演算処理手順に従い
、周期的に保護演算を実行する保護演算手段とを備え、
前記検定手段の結果に基づき、検定不良のデータを廃棄し、検定不良のデータの代わり
に直前のサンプルのデータをメモリに格納するようにしてデータ補間し、前記ディジタル
フィルタ処理手段が、補間したデータに対して演算処理する分散形ディジタル保護リレー。
【請求項４】
前記第１のディシメーション手段と第２のディシメーション手段との演算周期の比率を
整数とし、前記第１のディジタルフィルタの演算周期が第２のディジタルフィルタの演算
周期の１／ｎ（ｎは整数）となるように構成する請求項３に記載の分散形ディジタル保護
リレー。
【発明の詳細な説明】
【技術分野】
【０００１】
本発明は、アナログ入力信号の取り込みを行うアナログ入力部と、アナログ入力信号を用いて保護演算を実施する演算部とをそれぞれ分離して配置し、アナログ入力部と演算部とをシリアル信号にて接続する分散形ディジタル保護リレーに係り、特に、アナログ入力部でＡ／Ｄ変換したデータを、通信路にて送信する際に発生する通信不良による一過性的なデータ欠損があっても、保護演算に用いるデータを安定させ装置ロックする時間を限りなく無くすことで、装置稼働率を向上させ、信頼度を向上するのに好適な分散形ディジタル保護リレーに関する。
【背景技術】
【０００２】
〔非特許文献１〕に記載されているように、従来の技術では、アナログ入力部と保護演算部は、システムバスで密結合され、集中形のシステム構成とされているのが一般的であり、少数のディジタル保護リレーでは、アナログ入力部のみを分散配置させて、データを通信で集めるシステム構成のものがある。このようなディジタル保護リレーとして、〔非特許文献２〕，〔特許文献１〕に記載されているように、分散形回線単位の制御装置として装置間でデータをトークンバス方式にて送受することで分散システムを構築している。
【０００３】
但し、この例においても、データはアナログフィルタ通過後のアナログ信号を電気角３０°毎にサンプリングしたものをトークンバスでデータ送信しているものであり、オーバサンプルの概念は適用されていない。
【先行技術文献】
【特許文献】
【０００４】
【特許文献１】特開２００３−７９０４６号公報
【非特許文献】
【０００５】
【非特許文献１】電気協同研究  第５０巻第１号  第二世代ディジタルリレー
【非特許文献２】日立評論  １９９７年３月  変電所総合ディジタル監視制御システム
【発明の概要】
【発明が解決しようとする課題】
【０００６】
電力用保護リレーにおいては、アナログ情報を取り込むセンサ部、すなわち現在殆どの保護リレーで適用されている入力変換器（ＣＴ，ＰＴ）部が、或いは光センサ（光ＣＴ，光ＰＤ）部が、保護演算部から分離した分散構成のニーズが高まることが予想されている。
【０００７】
このようなニーズの高まりから、各アナログ入力部のセンサ部は、より主機に近いところに配置され、ディジタル変換されたデータの配信をリアルタイムに行う分散化指向のシステムが普及すると考えられる。
【０００８】
変電所構内の通信ネットワークやシステム構成を定義したＩＥＣ６１８５０規格では、アナログデータとＩ／Ｏデータとの交換定義を定め、イーサネット通信技術を用いて、シリアル通信として１０Ｍbps〜１００Ｍbpsの伝送速度でデータ送受信するように定められている。
【０００９】
上記の分散システム構成を前提して、センサ部からアナログデータを転送する場合、アナログ信号をサンプリングし、Ａ／Ｄ変換したデータを、現状以上の高速でデータ転送を行うため、伝送路の不良や種々の通信条件により一過性的なデータ不良が発生する可能性が高くなる恐れがある。
【００１０】
伝送不良による一過性的な不良が発生した場合、一般的には、不良検出したデータは廃棄され、検出した時点から数サンプル分の時間の間、装置動作をロックする仕組みが採用されている。この装置動作ロックが発生すると、保護リレーとして動作できない時間が生じ、システムのバックアップ保護機能が存在するにしても、電力系統の安定運用上の面からも問題が残る。
【００１１】
本発明の目的は、伝送不良による一過性的な不良が発生した場合においても、可能な限り、保護演算データへの影響を小さくし、装置ロックする時間をなくすか限りなく小さくできる分散形ディジタル保護リレーを提供することにある。
【課題を解決するための手段】
【００１２】
上記目的を達成するために、本発明は、保護演算にて必要となるサンプリング周波数よりも高いサンプリング周波数でアナログ信号をサンプリングし、信号（高速サンプリングしたＡ／Ｄ変換情報）をシリアル送信するアナログ入力手段と、シリアル信号を受信し、ディジタルフィルタ処理し、このディジタルフィルタ処理出力をデータ間引き（ディシメーション）を行って、ダウンサンプリングしたデータを作成するアナログ信号処理手段を備えた保護演算処理手段とを分離構成する。
【００１３】
保護演算処理手段内のアナログ信号処理手段では、受信したデータがＣＲＣエラーなどの一過性的な通信不良が発生した場合、当該サンプルのデータを破棄し、直前のサンプルデータとなるようにデータを入替える。
【００１４】
保護演算処理手段に設けたアナログ信号処理手段にて、データ補間したデータならびに前後のデータを用いてディジタルフィルタ処理を行い、処理結果を保護演算処理に適したサンプリングとなるようにディメーションすることで、保護演算手段へのデータ補間の影響をなくす、あるいは、極めて小さくすることができる。
【００１５】
また、それぞれ異なる演算周期のディジタルフィルタ演算処理手段とを、それぞれ１つずつ以上設置することで、ディジタルフィルタ処理後の処理手段へのデータ欠落影響を大幅に小さくすることができる。
【発明の効果】
【００１６】
本発明のディジタル保護制御装置によれば、伝送不良等でアナログデータが一過性的に不良となるモードにおいても、データ補完することが可能なため、不要に装置ロックすることがなく装置の運用可用性を高めることができる。
【図面の簡単な説明】
【００１７】
【図１】本発明の実施例１である分散形ディジタル保護リレーの構成図。
【図２】データ転送手順を説明する図。
【図３（ａ）】ディジタルフィルタの構成例を示す図。
【図３（ｂ）】ディジタルフィルタの周波数特性例を示す図。
【図４】サンプリング動作のタイミング例を示す図。
【図５】電文のフレーム構成例を示す図。
【図６（ａ）】全体波形の一部を取り出して示す図。
【図６（ｂ）】データ送信中に一過性の通信不良が発生した場合の動作タイミング例を示す図。
【図６（ｃ）】ＣＲＣ不良が複数続いた場合の動作例を示す図。
【図７】本発明の実施例２である分散形ディジタル保護リレーの構成図。
【図８】データ転送手順を説明する図。
【図９】サンプリング動作のタイミング例を示す図。
【発明を実施するための形態】
【００１８】
以下、本発明の各実施例について図面を参照して説明する。
【実施例１】
【００１９】
本発明の実施例１を図１から図６により説明する。図１は、実施例１の分散形ディジタル保護リレーの構成図である。
【００２０】
図１に示すように、分散形ディジタル保護リレーは、保護対象の送電線１００から一次ＣＴ１０２及び一次ＰＤ１０３により電力系統の一次電流信号１０４，一次電圧信号１０５を取り込む。これら取り込まれる信号を、アナログ交流電気量と呼ぶ。
【００２１】
取り込んだ一次電流信号１０４，一次電圧信号１０５を、電圧・電流信号をマージするマージングユニット１内の補助ＣＴ２，補助ＰＴ３により電子回路が扱える電圧信号に変換する。変換されたアナログ入力信号は、アナログフィルタ４，５でサンプリングするときに不要となるサンプリングの折返し成分となる高周波信号成分を除去し、アナログディジタル変換器であるＡ／Ｄ変換器６，７でアナログ信号をディジタル信号に変換する。
【００２２】
Ａ／Ｄ変換器６，７は、クロック源１１からタイミング生成するタイミング制御回路１２からのＡ／Ｄ変換指令信号１５により変換動作を開始する。Ａ／Ｄ変換されたデータは、メモリ８，９に格納する。メモリ８，９に格納するには、上記と同じようにそれぞれのメモリ８，９に対し、メモリ格納信号１６及び１７によりタイミング制御回路１２から書込み信号とメモリのアドレス信号を与えることで格納できる。
【００２３】
メモリ８，９に格納された変換データを読出し、信号多重化手段１０よりそれぞれの信号を時間的に多重化して、シリアル信号に変換する。このシリアル信号に変換する際も、タイミングをタイミング制御回路１２からの信号で制御する。
【００２４】
信号多重化手段１０にて多重化された信号は、伝送制御手段１３によりＣＲＣコード等を付加されてシリアルデータとなり、電気／光変換手段１４により電気／光変換（Ｏ／Ｅ変換）されて、光コード１８（光信号ケーブルともいう）を経由して保護演算ユニット２０に送信される。
【００２５】
なお、光コード１８の代わりに銅線を用いることもできる。この場合は、次に述べる光／電気変換手段２２が不要となる。
【００２６】
この光コード１５は、変電所構内の場合は数kmであるが、変電所構内に限らず保護制御する場合は、２０km〜４０kmまたは４０km以上の光ファイバなどの光コードを敷線することで、遠隔地にてデータを受け取ることが可能である。
【００２７】
このように完全にアナログ入力部と演算処理部を物理上分離している保護リレーのことを、分散形保護リレーと定義することとする。
【００２８】
保護演算ユニット２０では、マージングユニット１からの光信号を光／電気変換手段２２（Ｏ／Ｅ変換手段ともいう）により光信号から電気信号に変換し、伝送制御手段２４に印加する。
【００２９】
伝送制御手段２４は、印加された電気信号から、受信信号と受信クロックを分離して取り出し、メモリ２５，サンプリングタイミング制御回路２３とデータ検定手段３０にそれぞれ信号を与え、サンプリングタイミング制御回路２３とデータ検定手段３０は、メモリ格納信号３２とデータ検定信号３４をそれぞれメモリ２５に印加する。これら受信したシリアル信号をメモリに記憶させる手段をメモリ転写手段といい、メモリへの格納は、シリアル信号の転送周期に合わせてデータを受信して行われる。
【００３０】
詳細は図示していないが、ディジタルフィルタ手段２６についても、サンプリングタイミング制御回路２３より受信データの周期に同期したタイミングで演算起動される。
【００３１】
ディジタルフィルタ手段２６は、メモリ２５からデータを読出し、このデータに対し、ディジタルフィルタ演算を施す。
【００３２】
ディジタルフィルタ手段２６でディジタルフィルタ演算を施された信号は、ディシメーション手段２７にて、間引き処理（ディシメーション）を行い、保護ＳＥＱ演算手段２８にデータを出力する。
【００３３】
保護ＳＥＱ演算手段２８は、予め定めた保護演算処理に基づいて処理し、系統事故の判定を行う。系統事故を検出した場合は、Ｉ／Ｏ手段２９を介して出力し、図示していないが、事故検出要素（ＦＤ）とのＡＮＤ条件成立後、遮断器１０１に対して遮断指令を発する。
【００３４】
これら一連の動作を、通常は、電気角３０°周期で行い、保護演算処理に基づいて処理して判断し、電力系統を系統事故から保護している。
【００３５】
次に、図２を用いて、図１に示したデータ転送手順を説明する。図２は、図１に記載した構成を機能的に要約して記載したものである。
【００３６】
図２において、Ａ／Ｄ変換器４０とディジタルフィルタ手段４１は、周期ΔＴＤＦ（例えば、電気角３.７５°）で動作する。すなわち、Ａ／Ｄ変換と同じサンプリング周期でディジタルフィルタを動作させている。
【００３７】
ディジタルフィルタ手段４１は、ディシメーション手段４２にデータを受渡し、ディシメーション手段４２では、周期ΔＴＲＹ（例えば、電気角３０°）毎にデータを間引いて、サンプリングをダウンコンバートさせ、保護演算が扱う信号にする。
【００３８】
保護演算手段４３は、ダウンコンバートした信号（例えば、周期電気角３０°）を受信して予め定めた系統事故を検出する演算を実行する。
【００３９】
ここで、ポイントは、Ａ／Ｄ変換からディジタルフィルタまでが、周期ΔＴＤＦで、ディシメーション以降が周期ΔＴＲＹというように演算周期が異なり、後段に行くに従って演算周期を長くしている点である。
【００４０】
図３（ａ）は、ディジタルフィルタの構成例を示す図である。図３（ａ）に示す回路例は、フィードバックループを持たないＦＩＲ（Finite Impluse Response）形のディジタルフィルタを示し、１サンプル遅延器５０，加算器５１，正規化回路５２で構成される。この回路は、現時点と過去Ｎ−１サンプル分の加算を行い、Ｎ個の移動平均をとる回路であり、数１の演算が行われる。
【００４１】
【数１】
0005508921.tif 000002
【００４２】
ここで、Ｎは２nである。図３（ｂ）は、このようにして演算されるディジタルフィルタの周波数特性例（ゲイン特性）５３を示す図である。このフィルタは、低周波を通過させるローパスフィルタである。
【００４３】
なお、ディジタルフィルタはＦＩＲ形に限らず、図示していないが、フィードバックループを有したＩＩＲ（Infinite Impluse Response）形でも同様に構成することが可能であり、ＦＩＲ形とＩＩＲ形が混在してもよい。
【００４４】
図４に示すタイミング波形例を用いて、動作を説明する。
【００４５】
図４において、Ａ／Ｄ変換指令例６０に示すように周期ΔＴＤＦ毎にＡ／Ｄ変換指令を発することにより、Ａ／Ｄ変換器４０はＡ／Ｄ変換動作例６１で示すＡ／Ｄ変換動作を行う。変換時間後にデータが確定し、確定したデータが、メモリ格納状態例６２で示すメモリ格納タイミングでメモリ２５に格納される。
【００４６】
その後、並列／直列変換（Ｐ／Ｓ変換）例６３で示す並列／直列変換（Ｐ／Ｓ変換）され、データ送信例６４で示すように、ｔ０から順にデータ送信される。データ受信例６５で示すように、伝送路での遅延時間経過後、保護演算ユニット２０にてデータ受信される。
【００４７】
直列／並列変換（Ｓ／Ｐ変換）例６６で示すように、直列／並列変換（Ｓ／Ｐ変換）されたデータは、データ検定後に格納される。
【００４８】
格納されたデータは、ＤＦ処理タイミング例６７で示されるように、ディジタルフィルタ手段２６で予め定められた演算処理に従い演算される。ここで、演算は、周期ΔＴDF毎に繰り返されるが、ＤＦ出力タイミング例６８で示されるように、ディシメーションにより、１／ｋ（ｋは整数）にデータを間引いて出力される。このようにデータ出力周期はΔＴRY毎になり、この周期でデータを格納し、保護演算に受け渡される。
【００４９】
ディジタルフィルタ手段２６からの出力後、ＲＹ処理例６９で示されるように、保護演算が起動されて、データを読出し、予め定められた保護演算処理をΔＴRY毎に実行する。
【００５０】
ここで、重要なポイントは、ディジタルフィルタ演算が、サンプリングされたデータを用いてΔＴDFの演算周期で実行されることであり、ｔ０からｔＮ−１までのデータを用いて移動平均を求めているので、１つのデータの影響は１／Ｎに薄まることになる点である。
【００５１】
図５は、電文のフレーム構成例を示す図であり、図５の電文フレーム構成例７０に示すように、パケットの先頭はプリアンブルで始まり、送り先アドレス（ＤＡ），送信元アドレス（ＳＡ），タグ情報（Ｔag），ＰＤＵ，データ（電流データ，ＯＮ／ＯＦＦ情報，ステータス，フレームチェックシーケンス（ＦＣＳ）で構成される。このパケットについても、プリアンブルから次のプリアンブルまでは周期ΔＴＤＦ毎に繰り返し、リアルタイム性を確保できるように構成している。
【００５２】
受信側では、パケットを受信すると、種々の解析を実施後、最終的には、フレームチェックシーケンスによってＣＲＣ検定を実施する。
【００５３】
図６（ａ）〜図６（ｃ）は、保護演算ユニット内で実施するデータ補間処理及び補間データ用いた処理の動作を説明する図である。図６（ａ）では、全体波形の一部を取り出して示している。
【００５４】
図６（ａ）では、ディジタルフィルタの入力データ、即ちマージングユニットからの送信信号を受けた信号波形例８０と、ディジタルフィルタの出力信号波形例８２を示している。この部分を見ると、フィルタ後の振幅値がフィルタ前の振幅値より低いように見えるが、位相遅れがあるため、この時点のデータは低く見えるが、実際の振幅は１：１である。
【００５５】
信号波形例８０は、サンプル“４”のところでＣＲＣ不良となったため、受信したデータを破棄し、保持していた１つ前のサンプル値のデータに入替えている。このため、データ８１に示すように、サンプル“３”の値と同一になっている。
【００５６】
しかし、ディジタルフィルタの出力信号波形例８２から分かるように、ディジタルフィルタ演算により、データ８３は階段波形ではなく、正弦波に補間処理されていることが理解できる。上述したが、ディジタルフィルタが移動平均処理することで、前置保持したデータであっても波形補正できていることが分かる。
【００５７】
図６（ｂ）は、通信状態例９０で示すように、データ送信中に一過性の通信不良（例えばＣＲＣ不良）が発生した場合の動作タイミング例を示す図である。
【００５８】
受信データ例９１に示すように、通信状態によりＣＲＣ不良が発生した場合を想定すると、補正後の受信データ例９２のｔ３後の値は不定となる。
【００５９】
補正した受信データ例９２は、ＣＲＣ不良が発生すると、その部分のデータは保持していた前サンプルの値（前置）であるｄ（ｔ３）に入替えられる。
【００６０】
ＤＦ演算例９３で示すように、ディジタルフィルタは、入替えられたデータを使用して演算するため、ｔ４の時刻でも、出力ｆ（ｔ４）を得ることができ、図６（ａ）に示したように、補間されていることがわかる。
【００６１】
図６（ｃ）は、通信状態例９４で示すように、ＣＲＣ不良が複数続いた場合の動作例を示す図である。
【００６２】
受信データ例９５で示すように、時刻ｔ３以降、ＣＲＣ不良が継続して発生している通信状態では、受信データはｔ３時刻以降は不定データが続く。補正後の受信データ例９６で示すように、受信データ（補正）はＣＲＣ不良が発生する前の正常データｄ（ｔ３）を破棄したデータと入替えている。ディジタルフィルタでは、ＤＦ演算例９７で示すようにｔ３時刻以降も、補正したデータを用いてフィルタ演算を実行して補間した出力を出している。
【００６３】
しかし、ＣＲＣ不良が長く続くため、一過性的な不良でなく、永久的な不良が考えられ、ディジタルフィルタでの補間にも限界があるため、警報出力例９８で示すように、ＣＲＣ不良連続３回で警報を上げるようにしている。このようにすることで、一過性不良と永久故障を切り分けることを可能としている。
【実施例２】
【００６４】
本発明の実施例２を図７から図９を用いて説明する。図７は、実施例２の分散形ディジタル保護リレーの構成図である。
【００６５】
図７に示す実施例は、図１に示す実施例と同様に構成されているが、実施例２では、保護演算ユニット２０が相異しているため、この部分を説明する。
【００６６】
図７に示すように、第１のディジタルフィルタ手段４４，第１のディシメーション手段４５，第２のディジタルフィルタ手段４６，第２のディシメーション手段４７が設けられ、このように、第１のディジタルフィルタ手段４４から順に、カスケード接続するように構成される。
【００６７】
図８は、Ａ／Ｄ変換器からカスケード接続した実施例２の機能的な構成を示す図である。
【００６８】
図８において、Ａ／Ｄ変換器４０，第１のディジタルフィルタ手段４４は、周期ΔＤＦ１で動作する。第１のディシメーション手段４５，第２のディジタルフィルタ手段４６は、周期ΔＤＦ１よりも長い周期ΔＤＦ２で動作するようにする。第２のディシメーション手段４７，保護演算手段４３は、周期ΔＤＦ２よりも長い周期、すなわち保護演算周期（例えば電気角３０°）で動作させる。
【００６９】
このように多段で動作周期を変えることで、伝送路上の一過性的な通信不良に対して、ディジタルフィルタ演算実施することでデータ補間される機能を有効活用して、通信不良による影響を極めて小さくすることができ、保護演算に対して実用上の問題が無い状態（例えば、リレー性能誤差５％以内）に抑えることが可能である。
【００７０】
図９は、上述した動作の概要をタイミンング例として示した説明図であり、一過性の通信不良がバースト的に発生するケースを例にとり説明する。図９では、通信状態例１１０が、断続的にＣＲＣ不良が発生した状態であることを想定して、本実施例の動作を説明する。
【００７１】
図９において、受信データ例１１１には、ｔ３以降はＣＲＣ不良が発生し、ＣＲＣ不良が無くなるまでデータ不定状態が継続することを示している。
【００７２】
補正後の受信データ例１１２では受信不定の部分に、正しく受信できた最新値（前値）ｄ（ｔ３）を格納して、受信データの補正を行う。
【００７３】
第１のＤＦの演算タイミング例１１３では、第１のディジタルフィルタで演算処理を実施するが、ｔ３以降は前置ｄ（ｔ３）を入力して処理し、演算結果として、補間された出力が得られる。
【００７４】
続いて、第１のＤＦの出力例１１４では、第１のディシメーション手段４５により、第１のディジタルフィルタ手段４４の演算結果を間引くが、ここで、間引いた時間内に通信不良が発生した場合には、第１のディジタルフィルタ手段４４の前回の演算結果を格納するようにして演算結果の補正を行う。
【００７５】
第２のＤＦの入力データ例１１５では、第２のディジタルフィルタ手段４６においては、入力データが、第１のディジタルフィルタ手段４４のディシメーションされた値となり、伝送不良が発生した期間のデータはｆ１（ｔ２）のところがｆ１（ｔ１）に変更された値となる。
【００７６】
その後、第２のＤＦの出力例１１６では、第２のディジタルフィルタ手段４６にて演算が実施され、第２のディシメーション手段４７にてデータがΔＴＲＹの周期に間引かれ、ＲＹ演算例１１７では、このデータを用いて各種保護演算を実行する。
【００７７】
このように、２段階でデータ補正することで、マージングユニットから保護演算ユニットに信号を渡す部分で、通信不良によるデータ不良が一過性のみならず、バースト的に発生した場合においても、保護演算への影響を極めて小さくすることができ、保護リレーシステムとしてのロバスト性を高めることができる効果がある。
【００７８】
このように、マージングユニットから保護演算ユニットへはシリアル伝送（例えば、イーサネット（登録商標）通信）を前提にしているが、今後、伝送速度がより高くなった場合でも有効に機能するものであり、高速化のゆえに不良率発生確率が高まるため、より効果的に保護演算への影響を小さくでき、保護リレーの高可用性を高めることができる。
【００７９】
また、本実施例では、伝送不良時にデータ補正を正しく受信できた前回値に置き換えることで説明したが、この値に置き換えなくても不定の信号として扱い、ディジタルフィルタ演算を行うことで、ディジタルフィルタのデータ補間効果を有効に活用することで、処理構成を簡便にできる。
【００８０】
又、アナログ入力部と保護演算部を分散配置させてシリアル信号で結合させても、伝送不良の影響を極めて小さくすることができるため、伝送不良による装置ロックがない又は極めて少ないロックで、可用性の高い分散形の保護リレーを提供することができ、電力の安定供給に貢献するものである。
【００８１】
以上説明したように、各実施例によれば、伝送不良等でアナログデータが一過性的に不良となるモードにおいても、データ補完することが可能なため、不要に装置ロックすることがなく装置の運用可用性を高めることができる。
【００８２】
又、アナログ入力部をディジタル保護演算手段から分離することが可能であるため、アナログ入力部（アナログ取り込み部）の主機近傍への設置が可能な分散形システムが構築できる。
【００８３】
又、アナログ入力部の共通化が図れ、出力データを必要な部位でデータを取得することで、データの一元化が図れ、設備コストも抑えることが可能であり運用側のメリットも大きい。
【００８４】
又、高速にデータをサンプリングすることで、アナログ回路の小形化を図ることができる。
【符号の説明】
【００８５】
１  マージングユニット
２  補助ＣＴ
３  補助ＰＴ
４，５  アナログフィルタ
６，７，４０  Ａ／Ｄ変換器
８，９，２５  メモリ
１０  信号多重化手段
１１，２１  クロック源
１２  タイミング制御回路
１３，２４  伝送制御手段
１４  電気／光変換手段
１５，６０  Ａ／Ｄ変換指令信号
１６，１７，３２  メモリ格納信号
１８  光コード
２０  保護演算ユニット
２２  光／電気変換手段
２３  サンプリングタイミング制御回路
２６，４１  ディジタルフィルタ手段
２７，４２  ディシメーション手段
２８  保護ＳＥＱ演算手段
２９  Ｉ／Ｏ手段
３０  データ検定手段
３１，３３  受信データ信号
３４  データ検定信号
４３  保護演算手段
４４  第１のディジタルフィルタ手段
４５  第１のディシメーション手段
４６  第２のディジタルフィルタ手段
４７  第２のディシメーション手段
５０  １サンプル遅延器
５１  加算器
５２  正規化回路
１００  保護対象の送電線
１０１  遮断器
１０２  一次ＣＴ
１０３  一次ＰＤ
１０４  一次電流信号
１０５  一次電圧信号
１０６  遮断指令信号
【図１】
0005508921.tif 000003
【図２】
0005508921.tif 000004
【図３（ａ）】
0005508921.tif 000005
【図３（ｂ）】
0005508921.tif 000006
【図４】
0005508921.tif 000007
【図５】
0005508921.tif 000008
【図６（ａ）】
0005508921.tif 000009
【図６（ｂ）】
0005508921.tif 000010
【図６（ｃ）】
0005508921.tif 000011
【図７】
0005508921.tif 000012
【図８】
0005508921.tif 000013
【図９】
0005508921.tif 000014